(57)【特許請求の範囲】
【請求項１】
互いに交差する第１の方向及び第２の方向のそれぞれに多数の鉄筋を平行に配置すると共に、各鉄筋の交差部分を溶接した浄化槽保持部材用鉄筋バーメッシュ構造体からなる床版を、浄化槽埋設用の設置穴内にスペーサを介して２枚所定間隔をおいて平行に配置し、
床版に前記浄化槽保持部材用鉄筋バーメッシュ構造体からなる差し筋部材の一端を固定し、前記差し筋部材の他端の自由端を前記浄化槽保持部材用バーメッシュ構造体を曲折して側端部同士を連結した柱状部材の下端開口部に挿入し、固定して柱状部材を立設し、
柱状部材の下半分及び床版を型枠でそれぞれ取り囲み、その内部空間にコンクリートを注入し、固化させて柱部と床部を形成し、
柱部と床部を形成した後に、浄化槽を柱部によって取り囲まれた空所内に載置し、
柱状部材の上端開口部に差し筋部材の一端を挿入すると共に、差し筋部材の他端を、スペーサを介して所定間隔をおいて平行に配置した２枚の頂版に固定して頂板を柱状部材に連結固定して支持し、
柱状部材の上半分及び頂版を、頂版に形成した開口部を除いて型枠によって取り囲み、その内部空間にコンクリートを注入し、固化させて柱部及び頂版部を形成することを特徴とする浄化槽の施工方法。
【発明の詳細な説明】
【０００１】
【発明の属する技術分野】
本発明は、浄化槽を囲繞して保護するコンクリート構造物の強度を保持するための鉄筋バーメッシュ構造体からなる床版、頂版、柱状部材及び差し筋部材による浄化槽の施工方法に関する。
【０００２】
【従来の技術】
従来より、住宅等から排出される汚水を処理して環境に適した水質で放流するための浄化槽が下水道施設の配備が不十分な地区において主に使用されている。浄化槽は様々な材質から製造されているが、補強繊維に不飽和ポリエステル樹脂等を含浸した繊維強化プラスチック（以下、「ＦＲＰ」という）を使用したものが製造コスト等の面から汎用されている。
【０００３】
ところで、通常、浄化槽は地下に埋設されるが、そのまま浄化槽を地下に埋設した場合には周囲の土砂からの圧力により浄化槽が損壊するおそれがある。特にＦＲＰ製の浄化槽は損壊の可能性が大きい。
【０００４】
そこで、浄化槽を埋設施工する際には、所定の深さ及び底面積を有する設置穴の最底部に浄化槽支持兼地盤沈下防止用のコンクリート製の床版部を設置してその上に浄化槽を載置し、更に、浄化槽の上方には地表面に接する同じくコンクリート製の頂版部を柱部で支持することにより浄化槽を強固に囲繞して該浄化槽を保護するように施工が行われる。
【０００５】
前記コンクリート製の床版部、頂版部、柱部には周囲の土砂からの圧力に耐えうる強度が要求されるので、通常は鉄筋コンクリートが使用されている。そこで、従来は、前記床版部、頂版部及び柱部の施工の際には浄化槽の埋設現場にて人手により鉄筋を縦横に結束して鉄筋の骨組みを築いていた。
【０００６】
【発明が解決しようとする課題】
しかしながら、浄化槽のような比較的大型の装置に対応するためには多数の鉄筋を組み上げなければならず、しかもこれらを正確に組み上げるには相当の熟練を要する。したがって、浄化槽の埋設作業にはかなりの時間とコストを要していた。しかも、人為的に鉄筋の結束を行うので、鉄筋の骨組みの組み上げ誤差が大きくなりやすいという問題点も有していた。
【０００７】
本発明は、前記した従来の技術における問題点を解決することをその課題とするものである。すなわち、本発明の目的は、浄化槽を地下に埋設施工する作業を容易かつ正確に行うことのできる新規な浄化槽保持部材用鉄筋構造体を提供し、それによって形成された鉄筋の骨組みを使用することにより浄化槽の施工作業時間を短縮し、また、施工コストを低減することにある。
【０００８】
【課題を解決するための手段】
上記した目的は、互いに交差する第１の方向及び第２の方向のそれぞれに多数の鉄筋を平行に配置すると共に、各鉄筋の交差部分を溶接したことを特徴とする浄化槽保持部材用鉄筋バーメッシュ構造体からなる床版を、浄化槽埋設用の設置穴内にスペーサを介して２枚所定間隔をおいて平行に配置し、床版に前記浄化槽保持部材用鉄筋バーメッシュ構造体からなる差し筋部材の一端を固定し、前記差し筋部材の他端の自由端を前記浄化槽保持部材用バーメッシュ構造体を曲折して側端部同士を連結した柱状部材の下端開口部に挿入し、固定して柱状部材を立設し、柱状部材の下半分及び床版を型枠でそれぞれ取り囲み、その内部空間にコンクリートを注入し、固化させて柱部と床部を形成し、柱部と床部を形成した後に、浄化槽を柱部によって取り囲まれた空所内に載置し、柱状部材の上端開口部に差し筋部材の一端を挿入すると共に、差し筋部材の他端を、スペーサを介して所定間隔をおいて平行に配置した２枚の頂版に固定して頂板を柱状部材に連結固定して支持し、柱状部材の上半分及び頂版を、頂版に形成した開口部を除いて型枠によって取り囲み、その内部空間にコンクリートを注入し、固化させて柱部及び頂版部を形成することによって達成される。
【０００９】
具体的には、前記浄化槽保持部材用鉄筋バーメッシュ構造体は、浄化槽の下方に配設される床版、浄化槽の上方に配設される頂版、前記床版に取付固定され前記頂版を支持する柱状部材、及び、これらの部材の連結に使用される差し筋部材に使用される。なお、本明細書においては「床版」、「頂版」、「柱状部材」なる語は、それぞれ、コンクリート製の床版部、頂版部、柱部を補強する鉄筋の構造体を指すものとする。
【００１０】
【発明の実施の形態】
以下、本発明を浄化槽の埋設作業に適用した実施例によって、その実施の形態を具体的に説明する。ただし、本発明を実施例に限定するものでは決してない。
図１及び図２は、それぞれ本発明の浄化槽保持部材用鉄筋バーメッシュ構造体によって形成した床版１及び頂版２の上面図である。
【００１１】
床版１及び頂版２は、多数の鉄筋３を縦方向及び横方向に平行して配置し、各鉄筋の交差部分をスポット溶接等の電気抵抗溶接によって溶接して固定することによって製造される。前記溶接は、多数の溶接部位を有する平面上の溶接機によって一括して行われる。したがって、浄化槽埋設施工現場において手作業によって鉄筋の結束作業を行う必要がない。使用される鉄筋の本数、間隔、並びに床版１及び頂版２の縦及び横方向の長さは、浄化槽の大きさによって適宜変更することが可能である。
【００１２】
頂版２には浄化槽の蓋部が嵌合される開口部２ａが設けられる。具体的には頂版２の所望の箇所に大口径の円形リング鉄筋３ａを溶接固定し、円形リング鉄筋３ａの内周に沿って格子状の鉄筋３を切断することにより、容易に開口部２ａを形成することができる。開口部２ａの個数は１つであっても複数であってもよく、また、その開口個所は必要に応じて適宜設定される。
【００１３】
図３（ａ）は、本発明の浄化槽保持部材用鉄筋バーメッシュ構造体を使用して形成した柱状部材４の斜視図であり、図３（ｂ）は柱状部材４を展開した上面図である。
【００１４】
柱状部材４は、床版１及び頂版２の場合と同様に多数の鉄筋３を縦方向及び横方向に平行して配置し、各鉄筋の交差部分を上記したような溶接機によってスポット溶接等して固定して得られた平面状の基礎部材５（図３（ｂ）参照）を長手方向に沿って９０度ずつ曲折して断面四角状とし、突き合わされた側端部の鉄筋同士を溶接、又は単に折り重ねて連結することによって製造される。使用される鉄筋の本数、間隔、並びに鉄筋の径及び長さは浄化槽の大きさ又は求められる強度によって適宜変更することができる。
【００１５】
図３（ａ）に示すように、実際の施工の際には、柱状部材４の開口端４ａからその内部に向けて、柱状部材４を図示しない床版及び頂版に連結するための差し筋メッシュ６の一部が挿入され、柱状部材４を構成する鉄筋と結束されて固定される。
【００１６】
図４は差し筋メッシュ６の拡大斜視図である。差し筋メッシュ６は２本の長鉄筋を平行に所定間隔をおいて並列し、その間に複数の短鉄筋を前記長鉄筋とは直交する方向に多数配列し、これらをスポット溶接等して固定した後に長鉄筋を所定箇所において９０度曲折することにより製造される。本実施例においては差し筋メッシュ６には図４（ａ）に示すように曲折部ａから端部ｂまでの距離がほぼ等しい対称タイプ６ａと、曲折部ａから端部ｂまでの距離が不等である非対称タイプ６ｂの両方の差し筋メッシュが必要に応じて使用される。
【００１７】
以下、本発明の浄化槽保持部材用鉄筋バーメッシュ構造体を使用した浄化槽の埋設施工方法の一例について図５〜１０を参照しつつ説明する。
【００１８】
まず、床版１を所定の深さ及び底面積を有する浄化槽埋設用の設置穴内に１枚配設する。次に、図５に示すように床版１上の所定箇所にスペーサ７を配置し、更にその上に床版１をもう１枚載置して２枚の床版１を所定間隔をおいて平行に配置する。このように２枚の床版を使用することで、浄化槽の重量に十分耐えうる強固な床部を得ることができる。
【００１９】
次に、図６に示されるように床版１の四隅に差し筋メッシュ６を複数本取付固定する。具体的には、２枚の床版１のうち下方の床版１を構成する鉄筋に差し筋メッシュ６の一端を結束することにより固定が行われる。一方、図示されるように差し筋メッシュ６の他端は床版１の鉄筋の隙間から上方に伸長して集束され、自由端とされている。なお、この段階でスペーサ７は床版１の間から外される。
図７に図６の上面図を示す。ここに詳細に示されるように、本実施例においては図４（ａ）及び（ｂ）にそれぞれに示した対称タイプの差し筋メッシュ６ａと非対称タイプの差し筋メッシュ６ｂとが併用されている。具体的には、床版１から差し筋メッシュ６の一部が外方へ突出しないように、差し筋メッシュ６ａは柱状部材４同士を連結する仮想線に沿って使用され、一方、差し筋メッシュ６ｂは床版１から外側に延びる方向に使用されている。このように、必要に応じて差し筋メッシュの種類を使い分けることが好ましい。
【００２０】
次に、図８に示すように、差し筋メッシュ６の前記自由端に柱状部材４が取り付けられる。具体的には柱状部材４の下端開口部に差し筋メッシュ６の前記自由端を挿入して柱状部材４を構成する鉄筋と差し筋メッシュ６とを結束固定することにより固定が行われる。なお、本実施例では４本の柱状部材４を使用しているが、必要に応じて柱状部材４の配設本数は適宜変更することが可能である。
【００２１】
そしてこの段階で柱状部材４の下半分を円筒形状の型枠で、また、床版１を直方体形状の型枠でそれぞれ取り囲み、その内部空間にコンクリートを注入して固化させる。このようにして十分な強度で連結された床部と柱部を得ることができる。
【００２２】
床部が固化した段階で、図９に示すように浄化槽８が前記柱部によって取り囲まれた空所内に載置され、適宜固定される。なお、この段階で設置穴内に土砂を所定量搬入し、床部と柱部の下半分及び浄化槽の下半分を土砂で埋設してもよい。
【００２３】
次に、図１０に示すように柱状部材４と頂版２との連結が行われる。具体的には、柱状部材４の上端開口部に床版１の場合と同様に２種類の差し筋メッシュ６ａ、６ｂの一端を挿入して柱状部材４を構成する鉄筋と差し筋メッシュ６ａ、６ｂとを結束固定すると共に、差し筋メッシュ６ａ、６ｂの他端を頂版２を構成する鉄筋と結束固定することによって連結が行われる。本実施例においては床版１と同様に、図示を省略するスペーサによって所定間隔をおいて２枚の頂版２が柱状部材４に連結固定されており、また、頂版２には浄化槽８の蓋の位置等に合わせて開口部２ａが設けられている。
【００２４】
そして、柱状部材４と頂版２との連結が終了した段階で、柱状部材６の上半分を円筒形状の型枠によって、また、頂版２を開口部２ａを除いて直方体形状の型枠によって取り囲み、その内部空間にコンクリートを注入して固化させる。このようにしてバーメッシュ構造を有する鉄筋構造体を内部に有する床版部、柱部、頂版部からなるコンクリート構造体が完成する。なお、頂版２の開口部２ａには浄化槽の蓋部等が嵌合される。そして、この状態で土砂によって設置穴を完全に埋めることにより浄化槽の施工作業が終了する。
【００２５】
なお、本実施例では、床版１と頂版２との大きさは同一とされている。このように規格を統一することにより品質を一定とすると共に、更に製造コスト及び輸送コストを低減することが可能となる。
【００２６】
【発明の効果】
本発明では以下の効果を奏する。
【００２７】
（１）浄化槽を埋設施工する際に、浄化槽を囲繞する床版、頂版及び柱状部材を作業現場にて人手により組み上げる必要がないので、組み上げの際の寸法誤差が解消され正確な施工が可能であると共に、施工時間の短縮及びコストの低減を図ることができる。
【００２８】
（２）自動溶接機等によって溶接され、予め組み上げられた構造体を使用するので、床版、頂版及び柱状部材の構築、連結に熟練を要せず、容易に浄化槽の施工作業を行うことができる。
【００２９】
（３）構造体は平面状、四角柱状等の単純な形態で出荷されるので、トラックなどの運送手段に密に充填して搬送することができる。したがって、輸送コストをも低減することができる。
【図面の簡単な説明】
【図１】  本発明の浄化槽保持部材用鉄筋バーメッシュ構造体によって形成した床版の上面図。
【図２】  本発明の浄化槽保持部材用鉄筋バーメッシュ構造体によって形成した頂版の上面図。
【図３】  本発明の浄化槽保持部材用鉄筋バーメッシュ構造体を使用して形成した柱状部材を示す図。
【図４】  差し筋メッシュの拡大斜視図。
【図５】  本発明の浄化槽保持部材用鉄筋バーメッシュ構造体を使用した浄化槽の埋設施工方法の一例を示すための図。
【図６】  本発明の浄化槽保持部材用鉄筋バーメッシュ構造体を使用した浄化槽の埋設施工方法の一例を示すための図。
【図７】  本発明の浄化槽保持部材用鉄筋バーメッシュ構造体を使用した浄化槽の埋設施工方法の一例を示すための図。
【図８】  本発明の浄化槽保持部材用鉄筋バーメッシュ構造体を使用した浄化槽の埋設施工方法の一例を示すための図。
【図９】  本発明の浄化槽保持部材用鉄筋バーメッシュ構造体を使用した浄化槽の埋設施工方法の一例を示すための図。
【図１０】  本発明の浄化槽保持部材用鉄筋バーメッシュ構造体を使用した浄化槽の埋設施工方法の一例を示すための図。
【符号の説明】
１    床版
２    頂版
２ａ  開口部
３    鉄筋
３ａ  円形リング鉄筋
４    柱状部材
５    基礎部材
６    差し筋メッシュ
７    スペーサ
８    浄化槽
【図１】
0003774312.tif 000002
【図２】
0003774312.tif 000003
【図３】
0003774312.tif 000004
【図４】
0003774312.tif 000005
【図５】
0003774312.tif 000006
【図６】
0003774312.tif 000007
【図７】
0003774312.tif 000008
【図８】
0003774312.tif 000009
【図９】
0003774312.tif 000010
【図１０】
0003774312.tif 000011